(57)【要約】【課題】弱電界区間において放送サービスを提供する放送システム及び方法を提供する。【解決手段】デジタルマルチメディア放送サービス中に放送リプレイ要求があれば、リプレイ要求メッセージをストリーミングサーバに伝送し、リプレイ要求に応じた放送データを受信すれば、それを表示するデジタルマルチメディア放送端末と、リプレイ要求メッセージを受信すれば、リプレイ要求に応じた放送データをデジタルマルチメディア放送端末に提供するストリーミングサーバと、を備えてなることを特徴とする放送システムである。これにより、ユーザが不注意によってＤＭＢ放送を視聴できなかった場合、または弱電界区間の通過中または弱電界区間の通過後に放送をリプレイするための場合、ストリーミングサーバを介して放送サービスの提供を受けられるようにする。【選択図】図１
2007104658.tif 000002
【特許請求の範囲】
【請求項１】
弱電界区間において放送サービスを提供する放送システムであって、
デジタルマルチメディア放送サービス中に放送リプレイ要求があれば、リプレイ要求メッセージをストリーミングサーバに伝送し、リプレイ要求に応じた放送データを受信すれば、それを表示するデジタルマルチメディア放送端末と、
前記リプレイ要求メッセージを受信すれば、前記リプレイ要求に応じた放送データを前記デジタルマルチメディア放送端末に提供するストリーミングサーバと、
を備えてなることを特徴とする放送システム。
【請求項２】
前記リプレイ要求メッセージは、前記リプレイ要求があった時点を参照することによって現時点の放送データからどれだけ前の時点の放送データを検索しなければならないかに関する単位時間情報を含むことを特徴とする請求項１に記載の放送システム。
【請求項３】
リプレイ要求に応じた放送データを受信すれば、現在サービス中のデジタルマルチメディア放送データをメイン画面に表示すると共に、受信したリプレイ放送データをサブ画面に表示することを特徴とする請求項１に記載の放送システム。
【請求項４】
前記ストリーミングサーバが、
前記リプレイ要求メッセージを受信すれば、リプレイ要求があった時点から前記単位時間以前のデータを検索して、該単位時間以前に該当するデータから前記リプレイ要求時点に該当するデータまで順次にデジタルマルチメディア放送端末に提供することを特徴とする請求項２に記載の放送システム。
【請求項５】
弱電界区間において放送サービスを提供する放送システムであって、
デジタルマルチメディア放送サービス中に弱電界区間への進入時点の放送からリプレイ要求があれば、ストリーミングサーバに弱電界区間への進入時点と放送チャンネル情報とを含む放送要請メッセージを伝送し、前記ストリーミングサーバから放送データを受信すれば、それを表示するデジタルマルチメディア放送端末と、
前記放送要請メッセージを受信すれば、前記放送チャンネルに対して弱電界区間への進入時点に該当する放送データから前記デジタルマルチメディア放送端末に提供するストリーミングサーバと、
を備えてなることを特徴とする放送システム。
【請求項６】
前記デジタルマルチメディア放送端末が、
ユーザの中止要求により前記ストリーミングサーバに放送伝送中止メッセージを伝送することを特徴とする請求項５に記載の放送システム。
【請求項７】
前記ストリーミングサーバが、
前記放送伝送中止メッセージを受信すれば、前記デジタルマルチメディア放送端末に提供していた放送データの伝送を中止することを特徴とする請求項６に記載の放送システム。
【請求項８】
弱電界区間への進入時点の放送からリプレイ要求に応じた放送データを受信すれば、該受信した放送データをサブ画面に表示することを特徴とする請求項５に記載の放送システム。
【請求項９】
弱電界区間において放送サービスを提供する放送システムであって、
デジタルマルチメディア放送サービス中に弱電界区間内と判断すれば、ストリーミングサーバに弱電界区間への進入時点と放送チャンネル情報とを含む放送要請メッセージを伝送し、前記ストリーミングサーバから放送データを受信すれば、それを表示するデジタルマルチメディア放送端末と、
前記放送要請メッセージを受信すれば、前記放送チャンネルに対して弱電界区間への進入時点に該当する放送データから前記デジタルマルチメディア放送端末に提供するストリーミングサーバと、
を備えてなることを特徴とする放送システム。
【請求項１０】
前記デジタルマルチメディア放送端末が、
前記ストリーミングサーバから前記放送データを受信すれば、該受信した放送データをメイン画面に表示することを特徴とする請求項９に記載の放送システム。
【請求項１１】
前記デジタルマルチメディア放送端末が、
前記弱電界区間を離れたと判断すれば、前記ストリーミングサーバに放送伝送中止メッセージを伝送し、受信するデジタルマルチメディア放送データをメイン画面に表示することを特徴とする請求項９に記載の放送システム。
【請求項１２】
前記ストリーミングサーバが、
前記放送伝送中止メッセージを受信すれば、前記デジタルマルチメディア放送端末に提供していた放送データの伝送を中止することを特徴とする請求項１１に記載の放送システム。
【請求項１３】
弱電界区間における放送サービスの提供方法であって、
デジタルマルチメディア放送端末が、デジタルマルチメディア放送サービス中に放送リプレイ要求があれば、リプレイ要求メッセージをストリーミングサーバに伝送するステップと、
前記ストリーミングサーバが、前記リプレイ要求メッセージを受信すれば、前記リプレイ要求に応じた放送データを前記デジタルマルチメディア放送端末に提供するステップと、
前記デジタルマルチメディア放送端末が、リプレイ要求に応じた放送データを受信すれば、それを表示するステップと、
を含んでなることを特徴とする放送サービスの提供方法。
【請求項１４】
前記リプレイ要求メッセージは、前記リプレイ要求があった時点を参照することによって現時点の放送データからどれだけ前の時点の放送データを検索しなければならないかに関する単位時間情報を含むことを特徴とする請求項１３に記載の放送サービスの提供方法。
【請求項１５】
前記デジタルマルチメディア放送端末がリプレイ要求に応じた放送データを表示するステップは、
リプレイ要求に応じた放送データを受信すれば、現在サービス中のデジタルマルチメディア放送データをメイン画面に表示すると共に、受信したリプレイ放送データをサブ画面に表示するステップであることを特徴とする請求項１３に記載の放送サービスの提供方法。
【請求項１６】
前記ストリーミングサーバが前記リプレイ要求に応じた放送データを提供するステップは、
前記リプレイ要求メッセージを受信すれば、リプレイ要求があった時点から前記単位時間以前のデータを検索して、前記単位時間以前に該当するデータから前記リプレイ要求時点に該当するデータまで順次にデジタルマルチメディア放送端末に提供するステップであることを特徴とする請求項１４に記載の放送サービスの提供方法。
【請求項１７】
弱電界区間における放送サービスの提供方法であって、
デジタルマルチメディア放送端末が、デジタルマルチメディア放送サービス中に弱電界区間への進入時点の放送からリプレイ要求があれば、ストリーミングサーバに弱電界区間への進入時点と放送チャンネル情報とを含む放送要請メッセージを伝送するステップと、
前記ストリーミングサーバが、前記放送要請メッセージを受信すれば、前記該当放送チャンネルに対して弱電界区間への進入時点に該当する放送データから前記デジタルマルチメディア放送端末に提供するステップと、
前記デジタルマルチメディア放送端末が、前記ストリーミングサーバから放送データを受信すれば、それを表示するステップと、
を含んでなることを特徴とする放送サービスの提供方法
【請求項１８】
前記デジタルマルチメディア放送端末が、ユーザの中止要求により前記ストリーミングサーバに放送伝送中止メッセージを伝送するステップをさらに含んでなることを特徴とする請求項１７に記載の放送サービスの提供方法。
【請求項１９】
前記ストリーミングサーバが前記放送伝送中止メッセージを受信すれば、前記デジタルマルチメディア放送端末に提供していた放送データの伝送を中止するステップをさらに含んでなることを特徴とする請求項１８に記載の放送サービスの提供方法。
【請求項２０】
前記デジタルマルチメディア放送端末が受信した放送データを表示するステップは、
前記受信した放送データをサブ画面に表示するステップであることを特徴とする請求項１７に記載の放送システム。
【請求項２１】
弱電界区間における放送サービスの提供方法であって、
前記デジタルマルチメディア放送端末が、デジタルマルチメディア放送サービス中に弱電界区間内と判断すれば、ストリーミングサーバに弱電界区間への進入時点と放送チャンネル情報とを含む放送要請メッセージを伝送するステップと、
前記ストリーミングサーバが、前記放送要請メッセージを受信すれば、前記放送チャンネルに対して弱電界区間への進入時点に該当する放送データから前記デジタルマルチメディア放送端末に提供するステップと、
前記デジタルマルチメディア放送端末が、前記ストリーミングサーバから放送データを受信すれば、それを表示するステップと、
を含んでなることを特徴とする放送サービスの提供方法。
【請求項２２】
前記デジタルマルチメディア放送端末が受信した前記放送データを表示するステップは、
前記受信した放送データをメイン画面に表示するステップであることを特徴とする請求項２１に記載の放送サービスの提供方法。
【請求項２３】
前記デジタルマルチメディア放送端末が、前記弱電界区間を離れたと判断すれば、前記ストリーミングサーバに放送伝送中止メッセージを伝送し、受信するデジタルマルチメディア放送データをメイン画面に表示するステップをさらに含んでなることを特徴とする請求項２１に記載の放送サービスの提供方法。
【請求項２４】
前記ストリーミングサーバが、前記放送伝送中止メッセージを受信すれば、前記デジタルマルチメディア放送端末に提供していた放送データの伝送を中止するステップをさらに含んでなることを特徴とする請求項２３に記載の放送サービスの提供方法。
【発明の詳細な説明】
【技術分野】
【０００１】
本発明は、放送サービスに係り、特に、弱電界区間において放送サービスを提供する放送システム及び方法に関する。
【背景技術】
【０００２】
一般に、デジタル放送とは、従来のアナログ放送に替えて高画質、高音質、及びより良質のサービスをユーザに提供する放送サービスタイプのことをいう。最近には、デジタル放送技術及び移動通信技術の発展につれて、移動中にもデジタル放送を視聴できるデジタル放送サービスへの関心が高まっている。
【０００３】
このような放送サービスとしては、移動通信端末を利用したデジタルマルチメディア放送(Digital Multimedia Broadcasting；以下、「ＤＭＢ」と称する。)サービスと、３Ｇネットワークを介して提供されるリアルタイムマルチメディアサービスとしてのライブストリーミング放送サービスがある。
【０００４】
そのうち、ＤＭＢサービスとは、無指向性受信アンテナを装着した個人携帯用の受信機または車両用の受信機などを通じて、移動中にも多様なマルチメディア放送を多チャンネルで視聴できるようにする放送サービスのことをいう。このようなＤＭＢサービスは、受動的単方向性、限られた地域、ラジオとＴＶなどの個別メディア機器に係る既存の放送サービスを克服し、能動的双方向性、個人携帯及び移動性を有しうるサービスであって、一台のＤＭＢ端末でビデオ／オーディオサービス及び放送と通信とのコンバージェンス(例えば、DAB/DMB & 3G, WCDMA & portable Internet, WLAN & WiFi, WiFi & portable Internet, and DAB/DMB & portable Internet)を提供する。また、ＤＭＢサービスは、携帯電話、ノート型パソコン、ＰＤＡ(Personal Digital data Assistant)フォン、ＷｉＢｒｏフォンのように、移動性を有する多様な端末を通じて高品質マルチメディアサービスを提供する。
【０００５】
上記のようなＤＭＢサービスは、地上から放送しようとするデジタル放送データを衛星に送出し、衛星がそのデジタル放送データを地上に再伝送する方式で行われる。デジタル放送受信端末は、衛星から再伝送された放送データを受信して出力するに当って、衛星からのデジタル放送データを直接受信するか、または地上中継器を通じて受信する。地上中継器は、高層ビルなどによるかげ地域または地下などの衛星信号が到達できない場所に設置されて、衛星からのデジタル放送データを送出する装置である。
【０００６】
デジタル放送受信端末は、地上中継器を通じてデジタル放送データを受信する場合には、衛星の方向または衛星から直接伝送される信号にかかわらず、衛星信号が到達できない場所でもデジタル放送データを受信することが可能である。
【０００７】
すなわち、現在、地上波の場合、放送移動受信が地上では可能であるが、建物、地下では受信できないこともあり、かげ地域の解決のために中継器(５０〜７０ｋｍ)とギャップフィラー（Gap filler)の設置が必要である。衛星ＤＭＢの場合もかげ地域を解決しなければならず、地上で直接受信するためには、Ｓ−ｂａｎｄ出力調整及び半径５００ｍをカバーできるギャップフィラーの追加設置が必要な実情である。したがって、ＤＭＢ放送のかげ地域を完全に解消するまで難視聴及び弱電界地域は存在し、移動中に一時的に放送を受信できない場合が発生して、途切れない放送サービスを提供するのに限界がある。
【０００８】
したがって、ＤＭＢ端末を通じてＤＭＢ放送を視聴中の視聴者が屋外を移動中に、弱電界区間のため一時的にＤＭＢ放送の一部を視聴できなくなる場合が生じうる。このように、視聴者が一時的にＤＭＢ放送を視聴できなかった場合、見逃した部分を見るためには、放送局の再放送を視聴するか、または予め放送を録画しておき、所望の時間に別に視聴せざるを得ない。また、インターネットまたは移動通信網を通じてＶＯＤサーバに接続して、コンテンツ化された当該放送プログラムを検索し、それをダウンロードするか、ストリーミングで再視聴することも可能である。しかしながら、このようにＶＯＤサーバを通じて放送を視聴することも当該放送のリアルタイムプログラムが終了して初めて可能である。
【０００９】
上述したように、ＤＭＢサービスが提供される間、弱電界区間では、その弱電界区間を離れるまで放送を視聴できない場合がしばしば発生する。このような場合、従来は、見逃した放送をすぐ再視聴する方法がなかった。
【発明の開示】
【発明が解決しようとする課題】
【００１０】
本発明の目的は、弱電界区間において放送サービスを提供する放送システム及び方法を提供するところにある。
【００１１】
本発明の他の目的は、ＤＭＢ端末でＤＭＢサービスが提供される間、弱電界区間でも視聴中の放送を続けて視聴できるようにするための放送システム及び方法を提供するところにある。
【課題を解決するための手段】
【００１２】
前記の目的を達成するために、本発明は、弱電界区間において放送サービスを提供する放送システムであって、デジタルマルチメディア放送サービス中に放送リプレイ要求があれば、リプレイ要求メッセージをストリーミングサーバに伝送し、リプレイ要求に応じた放送データを受信すれば、それを表示するデジタルマルチメディア放送端末と、上記リプレイ要求メッセージを受信すれば、上記リプレイ要求に応じた放送データを上記デジタルマルチメディア放送端末に提供するストリーミングサーバとを備えてなることを特徴とする。
【００１３】
また、本発明は、弱電界区間において放送サービスを提供する放送システムであって、デジタルマルチメディア放送サービス中に弱電界区間への進入時点の放送からリプレイ要求があれば、ストリーミングサーバに弱電界区間への進入時点と放送チャンネル情報とを含む放送要請メッセージを伝送し、上記ストリーミングサーバから放送データを受信すれば、それを表示するデジタルマルチメディア放送端末と、上記放送要請メッセージを受信すれば、上記放送チャンネルに対して弱電界区間への進入時点に該当する放送データから上記デジタルマルチメディア放送端末に提供するストリーミングサーバとを備えてなることを特徴とする。
【００１４】
さらに、本発明は、弱電界区間において放送サービスを提供する放送システムであって、デジタルマルチメディア放送サービス中に弱電界区間内と判断すれば、ストリーミングサーバに弱電界区間への進入時点と放送チャンネル情報とを含む放送要請メッセージを伝送し、上記ストリーミングサーバから放送データを受信すれば、それを表示するデジタルマルチメディア放送端末と、上記放送要請メッセージを受信すれば、上記放送チャンネルに対して弱電界区間への進入時点に該当する放送データから上記デジタルマルチメディア放送端末に提供するストリーミングサーバとを備えてなることを特徴とする。
【００１５】
さらに、本発明は、弱電界区間における放送サービスの提供方法であって、デジタルマルチメディア放送端末が、デジタルマルチメディア放送サービス中に放送リプレイ要求があれば、リプレイ要求メッセージをストリーミングサーバに伝送するステップと、上記ストリーミングサーバが、上記リプレイ要求メッセージを受信すれば、上記リプレイ要求に応じた放送データを上記デジタルマルチメディア放送端末に提供するステップと、上記デジタルマルチメディア放送端末が、リプレイ要求に応じた放送データを受信すれば、それを表示するステップとを含んでなることを特徴とする。
【００１６】
さらに、本発明は、弱電界区間における放送サービスの提供方法であって、デジタルマルチメディア放送端末が、デジタルマルチメディア放送サービス中に弱電界区間への進入時点の放送からリプレイ要求があれば、ストリーミングサーバに弱電界区間への進入時点と放送チャンネル情報とを含む放送要請メッセージを伝送するステップと、上記ストリーミングサーバが、上記放送要請メッセージを受信すれば、上記放送チャンネルに対して弱電界区間への進入時点に該当する放送データから上記デジタルマルチメディア放送端末に提供するステップと、上記デジタルマルチメディア放送端末が、上記ストリーミングサーバから放送データを受信すれば、それを表示するステップとを含んでなることを特徴とする。
【００１７】
さらに、本発明は、弱電界区間における放送サービスの提供方法であって、上記デジタルマルチメディア放送端末が、デジタルマルチメディア放送サービス中に弱電界区間内と判断すれば、ストリーミングサーバに弱電界区間への進入時点と放送チャンネル情報とを含む放送要請メッセージを伝送するステップと、上記ストリーミングサーバが、上記放送要請メッセージを受信すれば、上記放送チャンネルに対して弱電界区間への進入時点に該当する放送データから上記デジタルマルチメディア放送端末に提供するステップと、上記デジタルマルチメディア放送端末が、上記ストリーミングサーバから放送データを受信すれば、それを表示するステップとを含んでなることを特徴とする。
【発明の効果】
【００１８】
本発明は、ＤＭＢサービス中に一部放送のリプレイ要求に応じてストリーミングサーバを通じてリプレイ放送を提供することができる。また、弱電界区間ではストリーミングサーバを通じて続けて放送サービスが提供されるためのユーザの要求に応じて、自動的にサービスハンドオーバーを行なって途切れのない放送サービスを提供することが可能であるという効果を奏する。
【発明を実施するための最良の形態】
【００１９】
以下、添付した図面を参照して、本発明の好適な実施の形態を詳細に説明する。なお、図面、同じ構成要素には、できる限り同じ符号を付していることに留意しなければならない。また、本発明の要旨を余計に曖昧にする恐れのある公知の技術及び構成に関する詳細な説明は省略する。
【００２０】
本発明によれば、ＤＭＢ端末は、弱電界区間において視聴中のＤＭＢ放送を続けて視聴するか、または視聴できなかった放送を直ぐに再視聴するために、ストリーミングサーバを通じて放送サービスの提供を受けられる。また、弱電界区間を離れると、ＤＭＢ端末では、ＤＭＢシステムを通じてＤＭＢサービスの提供を受けられる。
【００２１】
以下、本発明の実施の形態による弱電界区間において放送サービスを提供する放送システムの構成について、図１を参照して説明する。図１は、本発明の実施の形態による弱電界区間において放送サービスを提供する放送システムを示す構成図である。
【００２２】
まず、放送センター１２０は、ＤＭＢ送出センター１２２とストリーミングサーバ１３０に放送データを出力する。すると、ＤＭＢ送出センター１２２は、衛星１２４及びギャップフィラー１２６を通じてＤＭＢ端末１００にＤＭＢデータを伝送する。また、ＤＭＢ送出センター１２２は、地上中継器１２８を通じてＤＭＢ端末１００にＤＭＢデータを伝送する。
【００２３】
その後、放送センター１２０から放送データが入力されたストリーミングサーバ１３０は、ＤＭＢ端末１００から放送サービス要求があった場合、放送データをリアルタイムにＤＭＢ端末１００に伝送する。
【００２４】
かかるストリーミングサーバ１３０の構成を説明すれば、放送センター１２０から出力される放送データをデコードするデコーダ１３８と、デコードされた放送データを一定時間保存するリプレイ用バッファ１３６と、デコードされた放送データをエンコードするエンコーダ１３９と、エンコードされた放送データをパケット化するためのパケット化部１４０と、放送サービス要請に応じてリアルタイム放送データを伝送し、放送リプレイ要請に応じてリプレイ用バッファ１３６で要請された部分の放送データをエンコードしパケット化して伝送するように制御するストリーミング制御部１３４と、を備えてなる。特に、本発明におけるストリーミングサーバ１３０は、放送センター１２０からリアルタイムに伝送される放送データを一定時間保存するためのリプレイ用バッファ１３６を備える。このようなリプレイ用バッファ１３６は、円形バッファの形態で構成され、このようなリプレイ用バッファ１３６の容量は、メモリ資源によって異なり、リプレイ用バッファ１３６の容量以上の放送ストリームデータは、書換方式でデータを保存する。
【００２５】
以下では、本発明による弱電界区間においてストリーミングサーバ１３０から放送サービスが提供されるＤＭＢ端末１００の構成を説明する。
【００２６】
まず、デジタル放送受信部１０４は、アンテナを通じてＤＭＢ信号を受信し伝送パケットを逆多重化した後、デコーディング過程を通じて映像及びオーディオデータにパーシングする。
【００２７】
マルチメディア部１０２は、デジタル放送サービス時に制御部としての機能を行い、デジタル放送受信部１０４を通じて伝えられるそれぞれの映像及びオーディオデータを表示部１０６及びオーディオ処理部１０８に出力する役割を行う。
【００２８】
デジタル放送受信強度測定部１０３は、デジタル放送受信部１０４から出力されるＤＭＢ信号の強度、またはＢＥＲ(Bit Error Rate)を測定する。
【００２９】
制御部１１２は、デジタルマルチメディア放送端末の全般的な制御動作を行う。特に、本発明における制御部１１２は、ＤＭＢ放送サービス中におけるリプレイモード要求に応じて、ストリーミングサーバ１３０を通じて放送サービスが提供されるための動作を制御する。また、制御部１１２は、デジタル放送受信強度測定部１０３から測定された信号強度またはＢＥＲが予め設定された臨界値以下である場合、弱電界区間内と判断し、弱電界区間では、サービス中の放送サービスがストリーミングサーバ１３０を通じて提供されるための動作を制御する。このような制御過程は、下記の図２〜図４を参照して具体的に説明する。ＤＭＢ端末１００がストリーミングサーバ１３０に放送サービスを要請するとき、ＲＴＳＰ(Real-Time Streaming Protocol)メッセージを用いる。
【００３０】
表示部１０６は、制御部１１２の制御下にキー入力部１１０から入力されたキー入力データに関する表示データが入力され表示するか、またはユーザが必要な機能を設定または駆動させるに当たって、その状態を可視的に分かるようにする。そして、本発明による表示部１０６は、制御部１１２の制御下に放送サービスの遂行による映像を表示しながら、ストリーミングサーバ１３０から受信した放送データを表示部１０６のサブ画面に出力する。また、表示部１０６は、制御部１１２の制御下にＤＭＢデータをメイン画面に出力する。
【００３１】
そして、オーディオ処理部１０８は、マイクＭＩＣ及びスピーカーＳＰＫと接続し、制御部１１２から伝えられるオーディオ信号を変換してスピーカーＳＰＫを介して出力し、マイクＭＩＣから受信するオーディオ信号をデータ化して制御部１１２に伝える。
【００３２】
キー入力部１１０は、ユーザとのインターフェースのための装置であって、備えられた各キーによる入力によってその固有のキー入力データを出力し、キー入力部１１０から出力されるキー入力データは、制御部１１２に印加され、いずれのキー入力によるキー入力データであるかが検出され、その結果に応じて制御部１１２が所定の動作を行う。また、キー入力部１１０は、ストリーミングサーバ１３０に放送リプレイを要請するためのリプレイモードキーと、ＤＭＢ弱電界である場合に弱電界区間への進入時点から放送サービスを要請するためのキーとを備える。上記キーは、既存の他の機能を行うためのファンクションキーによって実現されてもよく、別途に備えられたキーによって実現されてもよい。
【００３３】
メモリ部１１４は、デジタルマルチメディア放送受信用の端末の全般的な機能と関連した情報を保存すると共に、放送サービス提供と関連した情報も保存する。特に、本発明によるメモリ部１１４は、リプレイモードキー入力時にストリーミングサーバ１３０を介して放送サービスが提供されるための単位時間を保存する。このとき、単位時間（Granule）は、リプレイモードキーを入力するたびに、現時点の放送データからどれだけ前の時点の放送データを検索しなければならないかに関する時間単位である。
【００３４】
無線部１１６は、制御部１１２の制御下でアンテナＡＮＴを介して携帯電話網１３２とＲＦ信号をやり取りする。
【００３５】
以下、上記図１に示すように構成される放送システムにおいて、デジタルマルチメディア放送弱電界区間における放送サービスの提供過程について図２〜図５を参照して説明する。
【００３６】
図２は、本発明の第１実施の形態によるＤＭＢ端末１００とストリーミングサーバ１３０間において放送サービスを提供する方法を示すフローチャートである。図２に示すように、ＤＭＢ端末１００のユーザが不注意でＤＭＢ放送を視聴できなかった場合、または弱電界区間の通過中または弱電界区間の通過後、ユーザが放送リプレイを要求すると、ストリーミングサーバ１３０を介して放送サービスの提供を受けられる。
【００３７】
まず、ＤＭＢ端末１００は、ステップＳ２００においてデジタル放送サービスモードを行うスレッドにより、ステップＳ２０２で放送リプレイモード要請があったかどうかを判断する。判断の結果、放送リプレイモード要請があった場合、ステップＳ２０４へ進み、そうでなければ、ステップＳ２０６へ進んで、放送の終了まではステップＳ２００に戻って、引続きデジタル放送サービスを提供する。すなわち、上記ステップＳ２００、Ｓ２０２、Ｓ２０４、及びＳ２０６は、ＤＭＢ端末１００においてデジタル放送サービスモードを行うためのスレッドである。
【００３８】
一方、ステップＳ２０２で放送リプレイモード要請があったと判断され進んだステップＳ２０４において、ＤＭＢ端末１００は、リプレイ時間情報及び放送チャンネル情報を含む放送リプレイ要請メッセージを生成した後、ステップＳ２０８へ進んで該メッセージをストリーミングサーバ１３０に伝送する。このとき、リプレイ時間情報とは、リプレイする過去時点情報のことをいう。一方、ＤＭＢ端末１００は、デジタル放送サービスを行うスレッドを行うと共に、リプレイ放送サービスを行うスレッドであるステップＳ２１６〜ステップＳ２２０を行う。
【００３９】
ステップＳ２１０において、ストリーミングサーバ１３０は、リプレイ要請メッセージに含まれたリプレイ時間及び放送チャンネル情報を確認した後にステップＳ２１２へ進む。ステップＳ２１２においてストリーミングサーバ１３０は、当該放送チャンネル情報に相応する放送データが保存されたリプレイ用バッファ１３６からリプレイ時間に対応する放送データを読み出し、それをパケット化部１４０でパケット化した後、ステップＳ２１４でＤＭＢ端末１００に伝送する。もし、リプレイ要請された時間情報がサーバで保存しうる時間範囲外のものである場合、サーバは、現在リプレイ用バッファでリプレイできる最も前の時点と設定する。
【００４０】
ＤＭＢ端末１００のリプレイスレッドは、ステップＳ２１６において受信したリプレイ放送データをサブ画面に表示する。ユーザがリプレイを選択すると、ＤＭＢ放送は、メイン画面に表示され、リプレイ画面は、サブ画面に表示される。メイン／サブ画面が同時に表示されると、ユーザは、使用の便宜上、ＤＭＢ画面とリプレイ画面とのサイズを入れ替えたり、ＤＭＢ弱電界ではリプレイ画面のみをメイン画面に表示したりすることができる。
【００４１】
例えば、図５を参照すれば、(ａ)のような放送を提供する間にＤＭＢ端末のユーザが弱電界区間に進入し、ユーザにより(ｄ)に示すように１５秒時点で放送リプレイモード要請があった場合、ストリーミングサーバ１３０を介してサブ画面で以前の放送を再視聴することができる。すなわち、ユーザは、弱電界区間の受信状態にもかかわらず、弱電界区間通過中である１５秒時点でリプレイを要求することができる。ＤＭＢ受信が再び正常化する２０秒時点から約５秒後にライブストリーミングが中止し、５秒は、弱電界区間への進入時点とリプレイ開始時点との時間差を意味する。ここでは、放送リプレイモードのための単位時間を１０秒と仮定した。
【００４２】
次いで、ステップＳ２１８へ進んで、ユーザがリプレイ放送データの受信中止を選択したかどうかを判断する。判断の結果、リプレイ放送データ受信の中止を選択した場合、ステップＳ２２０へ進んで、放送リプレイモードを終了する。しかし、ステップＳ２１８でリプレイ放送データが続けて受信される場合には、ステップＳ２１６へ進んで、リプレイスレッドによりサブ画面に該受信したリプレイ放送データを続けて表示する。この時、弱電界区間におけるＤＭＢ画面は、バックエンドに隠され、リプレイモードによる放送データを全画面に拡大して表示することができる。
【００４３】
上記図２に示すように、弱電界区間への進入によって見逃した放送またはユーザの不注意によって視聴できなかった放送をストリーミングサーバ１３０から提供され得る。したがって、ユーザは、いつでもリプレイにより自分が視聴できなかった過去リアルタイム放送の一部を要求した時間に直ぐ再視聴できるので、再視聴にかかる遅延時間を克服できる。
【００４４】
次いで、図３を参照して弱電界区間の通過中または弱電界区間の通過後、弱電界区間への進入時点から弱電界区間を離れた時点までの放送サービスをストリーミングサーバ１３０から提供されるための動作を説明する。図３は、本発明の第２の実施の形態によるＤＭＢ端末とストリーミングサーバ間の弱電界区間における放送サービスの提供方法を示すフローチャートである。
【００４５】
ＤＭＢ端末１００は、ステップＳ３００においてデジタル放送サービスモードを行うスレッドにより、ステップＳ３０２で弱電界区間内であるかどうかを判断する。このとき、弱電界に関する判断は、受信するＤＭＢ信号の強度及びＢＥＲを測定し、予め設定された臨界値以下である場合に弱電界区間内と判断する。
【００４６】
もし、ステップＳ３０２において弱電界区間内と判断されると、ステップＳ３０４へ進んで、ＤＭＢ端末１００は、弱電界区間への進入時点を保存する。その後、ステップＳ３０６へ進んで、弱電界区間への進入時点から放送リプレイ要請があったかどうかを判断する。
【００４７】
ステップＳ３０６において弱電界区間への進入時点から放送リプレイ要請があったと判断されると、ステップＳ３１０へ進んで、ＤＭＢ端末１００は、弱電界区間への進入時点及び現在サービス中の放送チャンネル情報を含む放送要請メッセージを生成する。その後、ＤＭＢ端末１００は、ステップＳ３１２で生成された放送要請メッセージをストリーミングサーバ１３０に伝送する。ここで、上記ステップＳ３００、Ｓ３０２、Ｓ３０４、Ｓ３０６、Ｓ３０８、及びＳ３１０は、ＤＭＢ端末１００においてデジタル放送サービスモードを行うためのスレッドである。
【００４８】
上記のように、弱電界区間への進入により放送を視聴できなかった部分からリプレイするためのキーを入力すると、端末が最後に弱電界区間へ進入した時点から放送リプレイのための動作を行う。この時、弱電界区間への進入が複数回あった場合には、弱電界区間への進入時点を順次に記録し、弱電界区間への進入時点からリプレイキーがロングキー(Long key)にて入力されると、最後に記録されたた弱電界時点からそれ以前の弱電界時点の順に検索する。ロングキーがドロップされると、ＤＭＢ端末１００は、ロングキーのドロップ時間とマッチングする放送データをリプレイするための動作を行う。すなわち、上記のように、ロングキーによって検索された時点をリプレイ時点として放送要請メッセージに含める。
【００４９】
一方、ＤＭＢ端末１００から放送要請メッセージを受信したストリーミングサーバ１３０は、ステップＳ３１４においてリプレイ用バッファ１３６から弱電界区間への進入時点に関する当該放送データを出力してパケット化し、ステップＳ３１６へ進んで、パケット化した放送データをリアルタイムにＤＭＢ端末１００に伝送する。一方、ＤＭＢ端末１００は、デジタル放送サービスを行うスレッドを行うと共に、リプレイ放送サービスを行うスレッドであるステップＳ３１８〜ステップＳ３２３を行う。
【００５０】
ストリーミングサーバ１３０からステップＳ３１８で放送データを受信したＤＭＢ端末１００は、リプレイスレッドによりサブ画面に該受信した放送データを表示する。ディスプレイは、ユーザがリプレイ中止(Ｓ３２０)を選択するまで続き、メイン／サブ画面が同時に表示されると、ユーザは、使用の便宜上、ＤＭＢ画面とリプレイ画面とのサイズを入れ替えたり、ＤＭＢ弱電界では、リプレイ画面のみをメイン画面に表示したりすることができる。
【００５１】
しかしながら、ステップＳ３２０においてユーザがリプレイ中止を選択した場合には、ＤＭＢ端末１００が、放送伝送中止メッセージをストリーミングサーバ１３０に伝送し、ステップＳ３２３へ進んでリプレイモードを終了する。すなわち、本発明におけるＤＭＢ端末１００は、弱電界区間へ進入することで正常な放送受信ができなかった時点を記憶し、弱電界区間へ進入した時点からストリーミングサーバ１３０からリプレイ放送データを要求することによって、途切れのない放送サービスの提供を受けられるというメリットがある。
【００５２】
上記のような放送伝送中止メッセージを受信したストリーミングサーバ１３０は、当該ＤＭＢ端末１００への放送データ伝送を中止する。
【００５３】
次いで、ユーザが弱電界区間へ進入すると、自動的にストリーミングサーバ１３０から放送サービスを提供され、弱電界区間を離れるとＤＭＢシステムから放送サービスを提供されるための動作を、図４を参照して説明する。図４は、本発明の第３の実施の形態によるＤＭＢ端末とストリーミングサーバ間の弱電界区間における放送サービスの提供方法を示すフローチャートである。
【００５４】
ＤＭＢ端末１００がステップＳ４００においてデジタル放送サービスモードを遂行中であると仮定する。ＤＭＢ端末１００のデジタル放送サービスモードスレッドは、遂行中にステップＳ４０２へ進んで、ＤＭＢ端末１００が弱電界区間内にあるかどうかを判断する。
【００５５】
もし、ステップＳ４０２において弱電界区間内と判断されると、ステップＳ４０３へ進んで、ＤＭＢ端末１００は、弱電界区間への進入時点を保存する。その後、ステップＳ４０４へ進んで、ストリーミングサーバ１３０を介して放送サービスを続けて提供されるかどうかに関するメッセージを表示する。すなわち、ユーザがストリーミングサーバ１３０を介して弱電界区間で中断された時点から続けて放送サービスの提供を希望するかどうかを確認する。この時、予め自動的に弱電界区間では、ストリーミングサーバ１３０を通じて放送サービスを続けて提供されるための設定がなされていると、ステップＳ４０４及び下記ステップＳ４０６を省略し、ステップＳ４０２からステップＳ４１０に直ちに進む。
【００５６】
次いで、ステップＳ４０６へ進んで、ストリーミングサーバを介しての放送サービスの要請があれば、ステップＳ４１０へ進む。すなわち、弱電界区間へ進入する途端にストリーミングサーバ１３０を介して放送サービスの提供を続けて受けられるようにする。本発明では、ユーザにストリーミングサーバ１３０を介して放送サービスを続けて提供されることを希望するかどうかに関する確認動作を行うが、設定によっては弱電界区間では、自動的にストリーミングサーバ１３０を介して放送サービスを受けられるようにしてもよい。
【００５７】
ステップＳ４１０において、ＤＭＢ端末１００は、弱電界区間への進入時点及び放送チャンネル情報を含む放送要請メッセージを生成し、ステップＳ４１２において放送要請メッセージをストリーミングサーバ１３０に伝送する。ここで、上記ステップＳ４００、Ｓ４０２、Ｓ４０３、Ｓ４０４、Ｓ４０６、Ｓ４０８、及びＳ４１０は、ＤＭＢ端末１００においてデジタル放送サービスモードを行うためのスレッドである。
【００５８】
放送要請メッセージを受信したストリーミングサーバ１３０は、ステップＳ４１４においてリプレイ用バッファ１３６から弱電界区間への進入時点に関する当該放送データを出力してパケット化し、ステップＳ４１６へ進んで、該パケット化した放送データをリアルタイムにＤＭＢ端末１００に伝送する。一方、ＤＭＢ端末１００は、デジタル放送サービスを行うスレッドを行うと共に、リプレイ放送サービスを行うスレッドであるステップＳ４１８〜ステップＳ４２３を行う。
【００５９】
ストリーミングサーバ１３０からステップＳ４１８で放送データを受信したＤＭＢ端末１００は、サブ画面に該受信した放送データを表示する。このとき、メイン／サブ画面が同時に表示されると、ユーザは、使用の便宜上、ＤＭＢ画面とリプレイ画面とのサイズを入れ替えたり、ＤＭＢ弱電界区間では、リプレイ画面のみをメイン画面に表示することができる。その後、ＤＭＢ端末１００は、続けて弱電界区間内であるかどうかを判断し、もし、弱電界区間内であると判断した場合には、ステップＳ４１８へ進んで、受信する放送データを続けてサブ画面に表示する。例えば、図５の(ｅ)に示すように、弱電界区間への進入と同時にストリーミングサーバ１３０から放送サービスが提供され、途切れのない放送サービスの提供を受けることが可能である。
【００６０】
しかしながら、ステップＳ４２０において弱電界区間内でないと判断された場合には、ＤＭＢ端末１００が放送伝送中止メッセージをストリーミングサーバ１３０に伝送し、ステップＳ４２３へ進んでリプレイモードを終了する。放送伝送中止メッセージを受信したストリーミングサーバ１３０は、当該放送データの伝送を中止する。すなわち、弱電界区間を離れると、自動的にストリーミングサーバ１３０からの放送サービスが終了し、ＤＭＢシステムから正常な放送データの提供を受けられるようにする。
【００６１】
本発明は、上記図４に示す実施の形態のように、弱電界区間への進入と同時にストリーミングサーバ１３０を介して放送サービスの提供を受けられる放送サービス自動ハンドオーバーにより、途切れのない放送サービスを提供することができる。
【図面の簡単な説明】
【００６２】
【図１】本発明の実施の形態による弱電界区間において放送サービスを提供する放送システムを示す構成図。
【図２】本発明の第１の実施の形態によるＤＭＢ端末とストリーミングサーバ間の放送サービスを提供する方法を示すフローチャート。
【図３】本発明の第２の実施の形態によるＤＭＢ端末とストリーミングサーバ間の弱電界区間における放送サービスの提供方法を示すフローチャート。
【図４】本発明の第３の実施の形態によるＤＭＢ端末とストリーミングサーバ間の弱電界区間における放送サービスの提供方法を示すフローチャート。
【図５】図２〜図４の実施の形態による放送サービス提供時にＤＭＢ端末に表示される画面を示す例示図。
【符号の説明】
【００６３】
１００：ＤＭＢ端末
１０２：マルチメディア部
１０３：デジタル放送受信強度測定部
１０４：デジタル放送受信部
１０６：表示部
１０８：オーディオ処理部
１１０：キー入力部
１１２：制御部
１１４：メモリ部
１１６：無線部
１２０：放送センター
１２２：ＤＭＢ送出センター
１２４：衛星
１２６：ギャップフィラー
１２８：地上中継器
１３０：ストリーミングサーバ
１３２：携帯電話網
１３４：ストリーミング制御部
１３６：リプレイ用バッファ
１３８：デコーダ
１３９：エンコーダ
１４０：パケット化部
ＡＮＴ：アンテナ
ＭＩＣ：マイク
ＳＰＫ：スピーカー
【図１】
2007104658.tif 000003
【図２】
2007104658.tif 000004
【図３】
2007104658.tif 000005
【図４】
2007104658.tif 000006
【図５】
2007104658.tif 000007